(57)【要約】【課題】上記のような課題を解決するためになされたもので、回転式シャッターの回転軸に連結するダイヤル位置の設置場所の自由度を高くし、それにより例えば意匠性が向上する。【解決手段】冷蔵室５と冷凍室６とを有する冷蔵庫１と、冷却器１２と、圧縮機２５と、送風機１５と、冷気送風ダクト１６と、冷気送風ダクト内部に設けられ、回転軸１７ａと回転軸１７ａに連結した板状の弁１７ｆを有する回転式シャッター１７と、コントロールパネル２０と、コントロールパネル２０に設けられた冷蔵室５の温度が設定される冷蔵室温度調節ダイヤル２３、及び回転式シャッターの回転軸に連結する冷凍室温度調節ダイヤル２４とを備え、回転式シャッター１７の弁１７ｆは、回転軸１７ａから一方の端部までの長さと回転軸１７ａから他方の端部までの長さとが異なる。【選択図】図３
2012122709.tif 000002
【特許請求の範囲】
【請求項１】
第１の室と第２の室とを有する冷蔵庫本体と、
空気を冷却する冷却器と、
冷媒を圧縮する圧縮機と、
前記冷却器により冷却された空気を、前記第１の室及び前記第２の室へ送る送風機と、
少なくとも一部が前記第１の室に設けられ、前記送風機により送られた空気を前記第１の室及び前記第２の室へ導く風路を有する冷気送風ダクトと、
前記冷気送風ダクト内部に設けられ、回転軸と該回転軸に連結した板状の弁を有する回転式シャッターと、
前記第１の室に設けられ、前記冷気送風ダクトの前面を覆うように設置されたコントロールパネルと、
前記コントロールパネルに設けられ、前記第１の室の温度が設定される第１のダイヤルと、
前記コントロールパネルに設けられ、前記回転式シャッターの前記回転軸に連結する第２のダイヤルと、
前記第１の室の温度を測定する温度センサーと、
前記第１のダイヤルの設定と前記温度センサーが測定した温度とに基づき前記圧縮機の運転を制御する制御装置と、
を備え、
前記回転式シャッターの前記弁は、前記回転軸から一方の端部までの長さと前記回転軸から他方の端部までの長さとが異なり、
前記第２のダイヤルの回転に従って前記回転式シャッターが回転することで、前記第１の室に送られる風量が調整され、それにより前記第２の室に送られる風量が調節されることで、前記第２の室の温度が調節されることを特徴とする冷蔵庫。
【請求項２】
前記回転式シャッターは、前記回転軸の外周に形成されて前記回転軸と前記弁とを接続する略円形状のホイールを有することを特徴とする請求項１に記載の冷蔵庫。
【請求項３】
前記ホイールは、前記回転軸の外周に面する部分にスリットが形成されていることを特徴とする請求項２に記載の冷蔵庫。
【請求項４】
前記冷気送風ダクトは、前記回転式シャッターの回転軸の外周を覆うフランジを有することを特徴とする請求項１〜請求項３のいずれか一項に記載の冷蔵庫。
【請求項５】
前記回転式シャッターの前記弁は、風量を調節する調節板と、前記調節板と略垂直に設けられた摺動板を有することで、側段面が略Ｌ字状に形成され、
前記摺動板は、前記冷気送風ダクトの内側壁面と略水平となるよう形成され、
前記摺動板と前記冷気送風ダクトの内側壁面が接触することを特徴とする請求項１〜請求項４のいずれか一項に記載の冷蔵庫。
【請求項６】
前記第１の室は、前記第２の室よりも高温度帯の室であることを特徴とする請求項１〜請求項５のいずれか一項に記載の冷蔵庫。
【請求項７】
前記第１のダイヤル及び前記第２のダイヤルは、前記冷蔵庫の中央に対して左右対称となる位置に設けられていることを特徴とする請求項１〜請求項６のいずれか一項に記載の冷蔵庫。
【請求項８】
前記冷気送風ダクトの背面の少なくとも一部を覆う樹脂製のプレートを備え、
前記回転式シャッターの回転軸の外周を覆う部分に凸部を形成し、前記樹脂製のプレートに対向して設けたリブの凹部を係合させたことを特徴とする請求項１〜請求項７のいずれか一項に記載の冷蔵庫。
【発明の詳細な説明】
【技術分野】
【０００１】
この発明は、回転式の風量調節装置により温度調節が行われる冷蔵庫に関するものである。
【背景技術】
【０００２】
従来の冷蔵庫として、例えば冷凍庫扉に食品を収納するケースが一体に設けられている場合、冷凍室内に温度調節のダイヤルを設けると操作がしづらいので、冷凍室の温度調節ダイヤルを冷蔵室に設けたものがある。その場合、冷蔵室（この発明における第１の室に相当）に設置されたコントロールボックスに、例えば冷蔵室の温度を調節するダイヤル（この発明における第１のダイヤルに相当）と、冷凍室の温度を調節するダイヤル（この発明における第２のダイヤルに相当）とが隣接して設置されていた。
【０００３】
上記のような冷蔵庫として、「ダクト７からサーモスタット弁１８で制御された冷気がコントロールボックス１０内の冷気通路２６ａ，２６ｂを経て冷気吹出口２７ａ、２７ｂから冷蔵室４内に吹出されると共に、冷気通路２６ｃを経て冷気吹出口２８ａ，２８ｂおよび２８ｃ，２８ｄからも冷気が吹出されて低温ルーム１１、低温ケース１２および低温ケース１３に送られ、これらの低温部の温度が冷蔵室４の温度よりも低く保たれる。そして、冷蔵量の調節機構２９のダイヤル３６を回動操作することで軸３１を介してダンパ３０を回動させて冷気通路２６ａの開度を調整することで、開度を小さくすると冷気通路２６ｃに流れる冷気量が多くなるので低温ルーム１１、低温ケース１２，１３を強く冷却でき、逆に冷気通路２６ａの開度を小さくすると低温ルーム１１，低温ケース１２，１３を弱く冷却できる」というものがある（例えば、特許文献１参照）。
【先行技術文献】
【特許文献】
【０００４】
【特許文献１】実開昭６１−６３６８２号公報（第９，１０頁、第４−６図）
【発明の概要】
【発明が解決しようとする課題】
【０００５】
特許文献１に記載の冷蔵庫において、ダイヤル３６（この発明における第２のダイヤルに相当）に連結したダンパー（この発明における回転式シャッターに相当）は、軸を中心とした場合に弁が左右対称の形状であった。そのため、軸とコントロールボックスの側壁との間に一定の距離を空ける必要があるので、軸に連結する第２のダイヤルもコントロールボックスの端から一定の距離を空ける必要があり、第２のダイヤルの設置場所が制限されるという課題があった。
【０００６】
また、第２のダイヤルの設置場所が制限されることにより、例えば、第１のダイヤルと第２のダイヤルの左右方向の位置関係が、冷蔵庫本体の中央を中心とした場合に左右非対称となり、意匠性が悪くなる場合があるという課題があった。
【０００７】
また、例えば、第１のダイヤルと第２のダイヤルの左右方向の位置関係を左右対称とした状態で、上記の弁が左右対称である回転シャッターを使用した場合、冷気送風ダクト１６の左右方向の幅を広くする必要がある。その場合、コントロールパネルが大型化し、コストが高くなるという課題があった。
【０００８】
この発明は、上記のような課題の少なくとも一つを解決するためになされたもので、回転式シャッターの回転軸に連結するダイヤル位置の設置場所の自由度を高くし、それにより例えば意匠性が向上する冷蔵庫を得ることである。
【課題を解決するための手段】
【０００９】
この発明における冷蔵庫は、第１の室と第２の室とを有する冷蔵庫本体と、空気を冷却する冷却器と、冷媒を圧縮する圧縮機と、前記冷却器により冷却された空気を、前記第１の室及び前記第２の室へ送る送風機と、少なくとも一部が前記第１の室に設けられ、前記送風機により送られた空気を前記第１の室及び前記第２の室へ導く風路を有する冷気送風ダクトと、前記冷気送風ダクト内部に設けられ、回転軸と該回転軸に連結した板状の弁を有する回転式シャッターと、前記第１の室に設けられ、前記冷気送風ダクトの前面を覆うように設置されたコントロールパネルと、前記コントロールパネルに設けられ、前記第１の室の温度が設定される第１のダイヤルと、前記コントロールパネルに設けられ、前記回転式シャッターの前記回転軸に連結する第２のダイヤルと、前記第１の室の温度を測定する温度センサーと、前記第１のダイヤルの設定と前記温度センサーが測定した温度とに基づき前記圧縮機の運転を制御する制御装置と、を備え、前記回転式シャッターの前記弁は、前記回転軸から一方の端部までの長さと前記回転軸から他方の端部までの長さとが異なり、前記第２のダイヤルの回転に従って前記回転式シャッターが回転することで、前記第１の室に送られる風量が調整され、それにより前記第２の室に送られる風量が調節されることで、前記第２の室の温度が調節されるものである。
【発明の効果】
【００１０】
この発明により、回転式シャッターの弁を、回転軸から一方の端までの長さと回転軸から他方の端までの長さとが異なるようにしたことで、回転式シャッターの回転軸に連結するダイヤル位置の設置場所の自由度を高くすることができる。これにより、例えば意匠性が向上する冷蔵庫を得ることができる。
【図面の簡単な説明】
【００１１】
【図１】この発明の実施の形態１における冷蔵庫の冷蔵室及び冷凍室の扉を外した状態の正面図である。
【図２】図１の冷蔵庫において冷蔵室及び冷凍室扉を取り付けた状態のＡ−Ａ断面図である。
【図３】この発明の実施の形態１における冷蔵庫の冷気送風ダクト及びコントロールパネルにおいてシール材と樹脂製のプレートを外した際の背面図である。
【図４】図３のＡ部拡大図である。
【図５】この発明の実施の形態１における冷蔵庫の冷気送風ダクト及びコントロールパネルの背面斜視図である。
【図６】この発明の実施の形態１における冷蔵庫のコントロールパネルの正面図である。
【図７】この発明の実施の形態１における冷蔵庫の回転式シャッターの正面図である。
【図８】この発明の実施の形態１における冷蔵庫の回転式シャッターの正面側から見た斜視図である。
【図９】この発明の実施の形態１における冷蔵庫の樹脂製のプレートの正面図である。
【図１０】図９のＢ部拡大図である。
【図１１】この発明の実施の形態２における冷蔵室内のコントロールパネルの分解図である。
【図１２】この発明の実施の形態２における回転式シャッターの正面図である。
【図１３】この発明の実施の形態２における冷気送風ダクトに取り付けられた回転式シャッター近傍拡大図である。
【発明を実施するための形態】
【００１２】
以下、この発明における冷蔵庫の例について、図面を用いて詳細に説明する。
【００１３】
実施の形態１．
図１は、この発明の実施の形態１における冷蔵庫の冷蔵室及び冷凍室の扉を外した状態の正面図である。図２は、図１の冷蔵庫において冷蔵室及び冷凍室の扉を取り付けた状態のＡ−Ａ断面図である。なお、図１において、紙面左側が冷蔵庫１における左側であり、紙面右側が冷蔵庫１における右側である。また、図２において、紙面左側が冷蔵庫における正面側であり紙面右側が冷蔵庫における背面側である。なお、以下の図において、特に説明しない場合は、図１及び図２の方向に従って説明することとする。
【００１４】
図１に示すように、本実施の形態１における冷蔵庫１の外郭は、例えば、鋼鈑製である外箱２と、合成樹脂を真空成形した内箱３と、外箱２及び内箱３の間に充填発泡される断熱材等により構成されている。この冷蔵庫１の内部は、仕切り１３で仕切られて、複数の室が形成されている。本実施の形態１の冷蔵庫１は、上段に冷蔵室５（この発明における第１の室）、下段に冷凍室６（この発明における第２の室）が設けられている。また、仕切り１３の内部は発泡ポリスチレン製の断熱材１４で構成されている。
【００１５】
冷蔵室５の前面には、冷蔵室扉７が設けられており、冷凍室６には引出し式の冷凍室扉８が設けられている。冷凍室扉８には内箱３に取付けられたレール９に摺動自在に支持されるフレーム１０が取付けられている。食品を収納する為のケース１１は、フレーム１０と接続され、冷凍室扉８と共に引き出される構成であり、冷凍室扉８を閉めた状態において冷凍室６内に収納される。
【００１６】
また、冷凍室６の背面側には冷却器１２が設置されている。また、冷却器１２の上方には冷却器１２で冷却された冷気を各室へ循環する為の送風機１５が設置されている。また、冷蔵室５の背面側には、送風機１５により送風された冷気を冷蔵室５及び冷凍室６内へ導く発泡ポリスチレン製の冷気送風ダクト１６が設置されている。なお、冷気送風ダクト１６は、少なくともその一部が冷蔵室５の背面側に設置されていればよい。また、冷却器１２の下方には、冷媒を圧縮する圧縮機２５と、圧縮機２５等の制御を行う図示しない制御基板（この発明における制御装置）が設置されている。なお、冷却器１２、送風機１５、冷気送風ダクト１６、圧縮機２５及び制御基板の設置場所は上記の位置に限定されるものではない。
【００１７】
図３は、この発明の実施の形態１における冷蔵庫の冷気送風ダクト及びコントロールパネルにおいてシール材と樹脂製のプレートを外した際の背面図であり、図４は、図３のＡ部拡大図である。また、図５は、この発明の実施の形態１における冷蔵庫の冷気送風ダクト及びコントロールパネルの背面斜視図である。
図３及び図４に示すように、冷気送風ダクト１６内には送風機１５により冷蔵室５へ送風される冷気の量を調節する回転式シャッター１７が取付けられている。なお、回転式シャッター１７の構成及び機能の詳細は後述する。また、冷気送風ダクト１６の前面に設けられたコントロールパネル２０の裏側には、冷蔵室５の温度を調節する温度調節基板２２が設けられている。
【００１８】
また、図５に示すように、冷気送風ダクト１６の背面側の開口部上部はシール材１８により覆われており、冷気送風ダクト１６の背面側の開口部下部は、樹脂製のプレート１９により覆われている。これにより、冷気送風ダクト１６内の冷気が外部に漏れないようにしている。
【００１９】
図６は、この発明の実施の形態１における冷蔵庫のコントロールパネルの正面図である。
前述した冷気送風ダクト１６の前面には、冷気送風ダクト１６を覆うように樹脂製のコントロールパネル２０が設置されている。また、コントロールパネル２０の前面には、冷蔵室５内の温度を検知する温度センサー２１が設けられている。また、コントロールパネル２０の前面には、温度調節基板２２のシャフト部と連結する樹脂製の冷蔵室温度調節ダイヤル２３（この発明における第１のダイヤル）と、冷気送風ダクト１６内に設置された回転式シャッター１７に連結する冷凍室温度調節ダイヤル２４（この発明における第２のダイヤル）とが取付けられている。冷蔵室温度調節ダイヤル２３は、冷蔵室５の温度が設定されるものであり、それにより圧縮機２５の運転が制御される構成となっている。
【００２０】
ここで、冷凍室扉８は引出し式であり、食品を収納する冷凍室扉８と共に引き出されるケース１１を有するため、冷凍室６にダイヤル等を設けたとしても操作が困難である。そこで、冷凍室温度調節ダイヤル２４を冷蔵室５の奥面に設置されたコントロールパネル２０に取付けたことにより、冷凍室６の温度調節を冷蔵室５で行うことができ、操作が容易になる。なお、冷凍室６の温度調節については詳しくは後述する。また、冷蔵室５は、冷凍室６に比べて扉を開放することで生じる温度上昇の影響が少ないので、温度調節をした際の冷蔵庫内に保管されている食品への影響を少なくすることができる。
【００２１】
図７は、この発明の実施の形態１における回転式シャッターの正面図であり、図８は、この発明の実施の形態１における回転式シャッターの正面側から見た斜視図である。なお、図７において、紙面左側が冷蔵庫１における左側であり、紙面右側が冷蔵庫１における右側である。
図８に示すように、この回転式シャッター１７は、回転軸１７ａの外周に略円形状のホイール１７ｅを有しており、ホイール１７ｅに、薄板状の面を有する弁１７ｆが連結している。
【００２２】
弁１７ｆは、回転軸１７ａから両端部までの長さが異なるように形成されている。図７において、弁１７ｆの回転軸１７ａから端部までの長さは左側が右側より短くなっているが、回転式シャッター１７の形状は図７に示したものに限られない。例えば、冷凍室温度調節ダイヤル２４を右端に設置したい場合は、弁１７ｆにおける回転軸１７ａから端部までの長さを、右側が短くなるようにすればよい。回転式シャッター１７をこのように構成したことで、回転式シャッター１７の回転軸１７ａに連結する冷凍室温度調節ダイヤル２４の設置場所の自由度を高くすることができる。
【００２３】
また、弁１７ｆは、回転軸１７ａと略水平な板１７ｆ１（この発明における調節板に相当）と、板１７ｆ１と略垂直な板１７ｆ２（この発明における摺動板に相当）とを有し、その側断面は略Ｌ字型になっている。弁１７ｆは、板１７ｆ２が冷気送風ダクト１６の内側壁面と接するように設置される。仮に、板１７ｆ２がない場合、板１７ｆ１の端部が冷気送風ダクト１６の内側壁面に接した状態で回転式シャッター１７が回転する。これにより、板１７ｆ１の端部によって冷気送風ダクト１６の内側壁面を削ってしまったり、回転式シャッター１７の回転動作が滑らかにならない可能性がある。特に本実施の形態１のように発泡ポリスチレン製の冷気送風ダクト１６を使用した場合、内側壁面が削れてしまう可能性が高くなる。しかし、弁１７ｆは板１７ｆ２を有することで、板１７ｆ２の面全体が冷気送風ダクト１６の内側壁面と摺動して回転するので、冷気送風ダクト１６を削るおそれが少なくなり、回転式シャッター１７の回転動作が滑らかとなる。
【００２４】
また、回転式シャッター１７において、板１７ｆ１には冷気通路穴１７ｂを有している。これにより、回転式シャッター１７を全閉状態（冷蔵室５へ流入される冷気の量を最小にした場合）にしても、冷蔵室５の温度を保つ為の最低限の冷気を確保することができる。仮に、回転式シャッター１７の弁の形状が回転軸に対して左右対称の場合、弁の面積が小さいため、全閉状態でも最低限の冷気を確保する大きさの穴を形成することは難しく、仮に穴を形成したとしても強度が弱くなるという問題点がある。
【００２５】
また、回転式シャッター１７において、ホイール１７ｅの外周には、ホイール１７ｅと略垂直にフランジ１７ｇが設けられている。また、フランジ１７ｇの外周に凸部１７ｃが設けられている。この凸部１７ｃは、冷気送風ダクト１６の開口部を覆う、後述の樹脂製のプレート１９に設けられているリブ１９ａの凹部１９ａ１に係止する。
【００２６】
なお、前述したように板１７ｆ１は、ホイール１７ｅを介して回転軸１７ａと接続されている。つまり、弁１７ｆ上に回転軸１７ａがない。仮に、回転軸１７ａに直接、板１７ｆ１を接続した場合、回転軸１７ａの周りにおいて板１７ｆ１が空気の圧力損失の原因となるという問題点がある。また、この空気の圧力損失を補うために冷気送風ダクト１６の左右方向の幅を広げた場合、冷気送風ダクト１６及びコントロールパネル２０の大型化及びコスト増加につながるという問題点がある。しかし、本実施の形態１の回転式シャッター１７は、上記のような形状であるため、略円柱形状の回転軸１７ａの周りを沿うように空気が流れるので圧力損失が少ない。そのため、冷気送風ダクト１６及びコントロールパネル２０の小型化及び省コスト化ができる。
【００２７】
図９は、この発明の実施の形態１における樹脂製のプレートの正面図であり、図１０は、図９のＢ部拡大図である。
図９及び図１０に示すように、冷気送風ダクト１６の開口部を覆う樹脂製のプレート１９には回転式シャッター１７のホイール１７ｅの外郭と沿う曲面を有するリブ１９ａが設けられている。また、リブ１９ａのホイール１７ｅが接する面には、凹部１９ａ１が形成されており、冷凍室温度調節ダイヤル２４の回転位置を例えば「中」とした場合に、回転式シャッター１７の凸部１７ｃが凹部１９ａ１に係止する構成となっている。このため、冷凍室温度調節ダイヤル２４を「中」の位置にした際にクリック感を得ることができ、確実に温度設定を行うことが可能となる。
【００２８】
以上のように構成された本実施の形態１の冷蔵庫について、動作を説明する。
冷却器１２により冷却された冷気は、仕切り１３の奥に取付けられた送風機１５により冷蔵室５の背面に設置された冷気送風ダクト１６へと流入する。冷気送風ダクト１６内に流入した冷気は冷気送風ダクト１６に設けられた吐出穴１６ｂと、コントロールパネル２０に設けられた吐出穴２０ａを通り冷蔵室５内へと流入する。
【００２９】
この際、冷気送風ダクト１６内に取付けられた回転式シャッター１７を回転させることで、冷気送風ダクト１６内の冷蔵室５への風路の開口面積を変化させる。冷蔵室５へ流入する冷気の量を増やす場合は、この開口面積を増やすように、背面側から見た場合の時計周りの方向に回転式シャッター１７を回転させる。また、冷蔵室５へと流入する冷気の量を減らす場合は、この開口面積を減らすように、背面側から見た場合の反時計周りの方向に回転式シャッター１７を回転させる。また、冷蔵室５へと流入する冷気の量が増えれば、冷凍室６へ流入する冷気の量は減り、冷蔵室５へと流入する冷気の量が減れば、冷凍室６へ流入する冷気の量は増える。このように、回転式シャッター１７を回転させることで冷凍室６の温度調節を行うことができる。
【００３０】
また、前述したように本実施の形態１の冷蔵庫は、冷蔵室５の奥面に設置されたコントロールパネル２０に温度センサー２１が設けられている。また、冷蔵庫１背面下部に制御基板（図示せず）と、圧縮機２５が設けられている。そして、温度センサー２１により検知された冷蔵室５の温度と、冷蔵室温度調節ダイヤル２３により設定された温度を基に、制御基板（図示せず）が、圧縮機２５の運転を制御する。
【００３１】
ここで、冷蔵室温度調節ダイヤル２３には、例えば「低」、「中」、「高」等の複数の温度設定ができるようになっている。ここで、各温度設定において、圧縮機２５を運転させる温度と停止させる温度には、所定の差（例えば６℃）を持たせてある。例えば、設定「中」の状態において、６℃以上になった場合、圧縮機２５は運転を開始し、０℃以下になれば圧縮機２５は停止するように制御する。このように、圧縮機２５を動作させる温度と停止させる温度に所定の差を持たせたことにより、圧縮機２５の起動及び停止が頻繁に発生しないように制御できる。
【００３２】
そして、冷気送風ダクト１６内の風路の開口面積を大きくし、冷蔵室５へ流入する冷気の量を増やすことにより、冷蔵室５の室温が短時間で低下するので、圧縮機２５を停止させる温度に短時間で達する。そのため、圧縮機２５の運転時間が短くなり、冷凍室６の温度は上昇する。
逆に、冷気送風ダクト１６内の風路の開口面積を小さくし、冷蔵室５へ流入する冷気の量を減らすことにより、冷蔵室５の室温の低下に時間がかかるので、圧縮機２５を停止させる温度に達するには長時間が必要となる。そのため、圧縮機２５の運転時間が長くなり、冷凍室６の温度は低下する。
【００３３】
以上のように、本実施の形態１の冷蔵庫１は、回転式シャッター１７の弁１７ｆの回転軸１７ａから両端部までの長さが異なるように形成した。これにより、回転式シャッター１７の回転軸１７ａに連結する冷凍室温度調節ダイヤル２４の設置場所の自由度を高くし、これにより、例えば操作部をコンパクトに形成したり意匠性等が向上した冷蔵庫を得ることができる。
【００３４】
例えば、様々な形状の冷気送風ダクト１６を用いた場合でも、弁１７ｆにおける回転軸１７ａから両端部までの距離を任意に設計変更することで、回転式シャッター１７を設置することが可能となる。また、例えば冷蔵室温度調節ダイヤル２３と冷凍室温度調節ダイヤル２４との位置関係を左右対称とすることができ、意匠性が良くなるという効果を有する。
【００３５】
また、例えば、第１のダイヤルと第２のダイヤルの左右方向の位置関係を冷蔵庫の中央に対して左右対称とした場合、回転軸から弁の両端部までの距離が異なる従来の回転シャッターを使用したとすると、冷気送風ダクト１６の左右方向の幅を広くする必要がある。しかし、本実施の形態１における回転式シャッター１７を用いた場合、弁１７ｆの回転軸１７ａから両端部までの長さを、弁１７ｆが冷気送風ダクト１６の幅に合わせて調節することができる。そのため、冷気送風ダクト１６を大型化しなくても第１のダイヤルと第２のダイヤルの左右方向の位置関係を冷蔵庫の中央に対して左右対称となるような状態で、回転式シャッター１７を設置可能である。これにより、冷気送風ダクト１６及びコントロールパネル２０の小型化及び省コスト化ができるという効果を有する。
【００３６】
なお、前述したように回転式シャッター１７の弁１７ｆにおける回転軸１７ａから両端部までの長さは異なるが、一方の長さが０とならないようにすることが望ましい。仮に回転式シャッター１７の弁１７ｆを、回転軸１７ａから一方の端部までが０とした場合、冷気送風ダクト１６の風路を全閉させるためには冷気送風ダクト１６の左右いずれかの端に近接することとなる。それにより、冷蔵室５へ流れる冷気が、左右方向において回転軸１７ａが設置されていない側に偏ってしまう。
【００３７】
実施の形態２．
以下に、この発明における回転式シャッター１７及び冷気送風ダクト１６の別の例について説明する。なお、本実施の形態２における冷蔵庫の構成及び機能について、特に説明しない部分については、実施の形態１と同じものであるものとする。
【００３８】
図１１は、この発明の実施の形態２における冷蔵室内のコントロールパネルの分解図である。また、図１２は、この発明の実施の形態２における回転式シャッターの正面図である。また、図１３は、この発明の実施の形態２における冷気送風ダクト１６に取り付けられた回転式シャッター１７近傍拡大図である。
図１２に示すように、回転式シャッター１７のホイール１７ｅには、スリット１７ｄが形成されている。スリット１７ｄは、ホイール１７ｅが回転軸１７ａと接触する部分に形成されている。そのため、スリット１７ｄがない場合と比べて、ホイール１７ｅが回転軸１７ａに接触する面積が減少する。
【００３９】
ここで、回転式シャッター１７は、常に−２０℃程度の冷気に晒されており、回転軸１７ａと連結している冷凍室温度調節ダイヤル２４は、常にプラスの温度帯となる冷蔵室５に設置される。そのため、回転式シャッター１７のホイール１７ｅと回転軸１７ａとの熱伝導を減少させることにより、回転軸１７ａと冷凍室温度調節ダイヤル２４との温度差を小さくなるので、冷凍室温度調節ダイヤル２４への露付きを抑止することができる。
【００４０】
また、図１１及び図１３に示すように、発泡ポリスチレン製の冷気送風ダクト１６には、回転式シャッター１７が取付く部分にフランジ１６ａが設けてある。フランジ１６ａは、回転軸１７ａを覆うように形成されており、例えば回転軸１７ａの外周に沿うように形成された略円筒形状であり、回転軸１７ａと断熱隔離されている。これにより、回転軸１７ａが冷気に触れる面積が減少する。
【００４１】
フランジ１６ａを設けたことにより冷気送風ダクト１６内を通る冷気と回転軸１７ａとの間の熱伝達を減少させることができる。また、フランジ１６ａは、冷気送風ダクト１６と一体であり、断熱性の高い発泡ポリスチレン製であるので冷気と回転軸１７ａとの断熱を効果的に行える。これにより、回転軸１７ａと冷凍室温度調節ダイヤル２４との温度差が小さくなるので、冷凍室温度調節ダイヤル２４への露付きを抑止することができる。なお、フランジ１６ａは、冷気送風ダクト１６と一体でなくてもよく、回転軸１７ａの外周を覆う形状のものであればよい。
【００４２】
以上のように、回転式シャッター１７のホイール１７ｅにスリット１７ｄを設けることにより、ホイール１７ｅが回転軸１７ａに接触する面積が減少するので、回転軸１７ａと連結する冷凍室温度調節ダイヤル２４への露付きを抑止することができる。
【００４３】
また、冷気送風ダクト１６に、回転軸１７ａを覆うフランジ１６ａを設けたことにより冷気送風ダクト１６内を通る冷気と回転軸１７ａとの間の熱伝達が減少するので、回転軸１７ａと連結する冷凍室温度調節ダイヤル２４への露付きを抑止することができる。
【符号の説明】
【００４４】
１  冷蔵庫、２  外箱、３  内箱、４  断熱材（冷蔵庫）、５  冷蔵室、６  冷凍室、７  冷蔵室扉、８  冷凍室扉、９  レール、１０  フレーム、１１  ケース、１２  冷却器、１３  仕切り、１４  断熱材（仕切り）、１５  送風機、１６  冷気送風ダクト、１６ａ  フランジ、１６ｂ  吐出穴、１７  回転式シャッター、１７ａ  回転軸、１７ｂ  冷気通路穴、１７ｃ  凸部、１７ｄ  スリット、１７ｅ  ホイール、１７ｆ  弁、１７ｆ１，１７ｆ２  板、１７ｇ  フランジ、１８  シール材、１９  樹脂製のプレート、１９ａ  リブ、１９ａ１  凹部、２０  コントロールパネル、２０ａ  吐出穴、２１  温度センサー、２２  温度調節基板、２３  冷蔵室温度調節ダイヤル、２４  冷凍室温度調節ダイヤル、２５  圧縮機。
【図１】
2012122709.tif 000003
【図２】
2012122709.tif 000004
【図３】
2012122709.tif 000005
【図４】
2012122709.tif 000006
【図５】
2012122709.tif 000007
【図６】
2012122709.tif 000008
【図７】
2012122709.tif 000009
【図８】
2012122709.tif 000010
【図９】
2012122709.tif 000011
【図１０】
2012122709.tif 000012
【図１１】
2012122709.tif 000013
【図１２】
2012122709.tif 000014
【図１３】
2012122709.tif 000015